(57)【要約】【課題】基板用コネクタの大型化を回避する。【解決手段】基板用コネクタ１０は、複数のリード端子３０を収容可能とするハウジング２０と、このハウジング２０の外面に突設され、同ハウジング２０をプリント基板５０の端部５０Ｃに固定する固定部４０とを備える。リード端子３０は、その一端側にハウジング２０の端子導出面２０Ａより突出する露出部３１を有し、この露出部３１の突出先端側が、プリント基板５０の回路面と導通接続されるようになっている。そして、固定部４０は、リード端子３０の露出部３１の内側に配されている。【選択図】  図３
2004214093.tif 000002
【特許請求の範囲】
【請求項１】
複数のリード端子を収容可能とするハウジングと、このハウジングの外面に突設され、同ハウジングをプリント基板に固定する固定部とを備え、前記リード端子は、その一端側に前記ハウジングの端子導出面より突出する露出部を有し、この露出部の突出先端側が、前記プリント基板の回路面と導通接続されるようになっている基板用コネクタであって、
前記固定部は、前記リード端子の露出部の内側に配されていることを特徴とする基板用コネクタ。
【請求項２】
前記ハウジングには、同ハウジングが前記プリント基板の端縁部に固定されたときに、そのプリント基板の端縁部に引掛けられて前記ハウジングにおける前記端子導出面の反対側が持ち上がる方向の傾動動作を規制可能なフック部が設けられていることを特徴とする請求項１に記載の基板用コネクタ。
【発明の詳細な説明】
【０００１】
【発明の属する技術分野】
本発明は、プリント基板に接続される基板用コネクタに関する。
【０００２】
【従来の技術】
従来、この種の基板用コネクタは、図８乃至図１０に示すように、ハウジング１内に多数のリード端子２を収容しており、各リード端子２は、ハウジング１の後面より突出する水平部３と、先端側を下に向けた垂下部４とを備え、垂下部４は、プリント基板５の回路パターンの端子接続面に半田付けされるようになっている。
ハウジング１の左右両端縁の夫々には、横向きに張り出す態様で延設部６が形成され、延設部６には、図９に示すように、上下方向に貫通する孔６Ａが設けられている。一方、プリント基板５には、図１０に示すように、孔６Ａと整合する位置決め孔５Ａが設けられている。位置決め孔５Ａには、ビス７が貫通され、このビス７が孔６Ａに螺入されることにより、ハウジング１がプリント基板５にねじ止めされるようになっている。このような基板用コネクタに関する技術は、以下の特許文献１に開示されている。
【０００３】
【特許文献１】
特開２００２−２１６８７０公報
【０００４】
【発明が解決しようとする課題】
ところが、従来の技術では、ハウジング１の左右両端縁の夫々から横方向に延設部６が突設されているため、その延設部６の張り出し分だけハウジング１の幅寸法が大きくなり、基板用コネクタが全体として大型化する懸念があった。
本発明は上記のような事情に基づいて完成されたものであって、基板用コネクタの大型化を回避することを目的とする。
【０００５】
【課題を解決するための手段】
上記の目的を達成するための手段として、請求項１の発明は、複数のリード端子を収容可能とするハウジングと、このハウジングの外面に突設され、同ハウジングをプリント基板に固定する固定部とを備え、前記リード端子は、その一端側に前記ハウジングの端子導出面より突出する露出部を有し、この露出部の突出先端側が、前記プリント基板の回路面と導通接続されるようになっている基板用コネクタであって、前記固定部は、前記リード端子の露出部の内側に配されている構成としたところに特徴を有する。
【０００６】
請求項２の発明は、請求項１に記載のものにおいて、前記ハウジングには、同ハウジングが前記プリント基板の端縁部に固定されたときに、そのプリント基板の端縁部に引掛けられて前記ハウジングにおける前記端子導出面の反対側が持ち上がる方向の傾動動作を規制可能なフック部が設けられているところに特徴を有する。
【０００７】
【発明の作用及び効果】
＜請求項１の発明＞
ハウジングの外面には同ハウジングをプリント基板に固定する固定部が突設され、この固定部は、リード端子の露出部の内側に配されているから、露出部の突出寸法内に収まるとともに、従来と違ってハウジングの幅寸法を狭くでき、もって基板用コネクタの大型化を回避できる。
【０００８】
＜請求項２の発明＞
固定部がリード端子の露出部の内側に配されているため、ハウジングがプリント基板の端縁部に固定されたときに、ハウジングに対して端子導出面の反対側を持ち上げる方向の傾動動作が作用すると、固定部を傾動支点としてハウジングの傾動が開始される懸念があるものの、本発明においては、ハウジングに、プリント基板の端縁部に引掛けられてハウジングにおける端子導出面の反対側が持ち上がる方向の傾動動作を規制可能なフック部が設けられているため、かかる持ち上げ力に抗することができ、ハウジングの浮き上がりを阻止できる。
【０００９】
【発明の実施の形態】
以下、本発明の実施形態を図面に基づいて説明する。
【００１０】
＜第１実施形態＞
本発明の第１実施形態を図１乃至図５によって説明する。図１は、本実施形態に係る基板用コネクタの正面図であり、図中符号１０は、基板用コネクタの全体を示す。以下、前後方向については、図３の右側を前側として説明する。
【００１１】
基板用コネクタ１０は、ハウジング２０と、ハウジング２０内に収容保持されたリード端子３０と、ハウジング２０の外面に突設され、ハウジング２０をプリント基板５０に固定するための固定部４０とを備える。
ハウジング２０は、合成樹脂材料により横長ボックス状に成形され、その前面には、相手ハウジング９０（図５参照）を嵌合可能な嵌合凹部２１が設けられている。ハウジング２０の後面は、リード端子３０が突出する端子導出面２０Ａとなっている。
【００１２】
リード端子３０は、導電性線材を折り曲げて形成されるものであり、その一端側は、図３に示すように、端子導出面２０Ａから突出する露出部３１となっている。露出部３１は、長さ方向の途中より屈曲されて全体としてＬ字状をなし、端子導出面２０Ａから延出される水平部３１Ａと、先端側を下方へ向けた垂下部３１Ｂとを有している。垂下部３１Ｂは、プリント基板５０に取り付けられたとき、プリント基板５０に貫設された端子挿通孔５０Ａに挿通され、プリント基板５０の下面に半田付けされるようになっている。そして、リード端子３０は、ハウジング２０の端子導出面２０Ａにおいて上下２列となって横方向に多数並んで設けられ、上列の露出部３１は、下列の露出部３１より一回り大きく形成されている。
【００１３】
また、固定部４０は、ハウジング２０の端子導出面２０Ａより一体突設されるとともに、リード端子３０の露出部３１の内側に配されるように構成されている。具体的には固定部４０は、端子導出面２０Ａにおける幅方向の両端２位置から張り出し形成されるとともに（図２参照）、露出部３１における水平部３１Ａ下方の非干渉空間Ｑ内に収まるように配されている（図３参照）。すなわち、固定部４０は、露出部３１の内側のデッドスペース内に配されており、従来と違ってハウジング２０の幅寸法を延長させることの無いようにしてある。
【００１４】
固定部４０は、上下方向に貫通する取付孔４１Ａを有し（図２参照）、この取付孔４１Ａは、固定部４０がプリント基板５０に取り付けられたとき、プリント基板５０に貫設された位置決め孔５０Ｂと整合し、位置決め孔５０Ｂと連通可能なようになっている。プリント基板５０の下面側より位置決め孔５０Ｂを通して取付孔４１Ａにネジ部材６０がねじ込まれると、図４に示すように、ハウジング２０がプリント基板５０上の所定位置に固定されることとなる。
【００１５】
また、ハウジング２０には、その下面の前後方向ほぼ中央位置より垂下されるとともにその垂下端よりハウジング２０下面との間に隙間Ｗを保有しつつ後方へ延出される態様のフック部８０が一体形成されている。フック部８０は、図２に示すように、ハウジング２０の幅方向に沿って幅広に形成されており、ハウジング２０の幅方向両端２位置に設けられた固定部４０の互いの離間距離に相当する幅寸法でもってその離間内を臨んでいる。また、フック部８０の垂下端は、図１に示すように、リード端子３０の露出部３１の下端とほぼ同じ高さ位置となるよう設定されている。フック部８０において後方へ開放される隙間Ｗは、ハウジング２０がプリント基板５０の端縁部５０Ｃに固定されたときに、このプリント基板５０の端縁部５０Ｃを挿入可能な空間となる。
【００１６】
ここで、図５に示すように、ハウジング２０がプリント基板５０の端縁部５０Ｃに固定されるとともに、端子導出面２０Ａの反対側となる嵌合面２０Ｂに相手ハウジング９０が嵌合され、その相手ハウジング９０の後面より導出される電線１００が上方へ引っ張られた場合、ハウジング２０は、端子導出面２０Ａ側の固定部４０を傾動支点として傾動される懸念がある。しかるに、本実施形態においては、ハウジング２０に設けられたフック部８０が、プリント基板５０の端縁部５０Ｃにおける下面と当接してそこに引っ掛け可能となっているため、電線１００の引っ張り力に抗することができ、もってハウジング２０の浮き上りが阻止される。つまり、フック部８０は、ハウジング２０の浮き上がり防止手段として機能している。
【００１７】
次に、基板用コネクタ１０をプリント基板５０に取り付ける手順について説明する。まず、ハウジング２０をプリント基板５０上に載置させ、リード端子３０の露出部３１の先端側を、対応するプリント基板５０の端子挿通孔５０Ａに挿入する。この状態で、フック部８０は、ハウジング２０下面との隙間Ｗにプリント基板５０の端縁部５０Ｃを差し入れるとともに、その端縁部５０Ｃの下面と間隔を空けつつ対面している。また、このときプリント基板５０の位置決め孔５０Ｂと固定部４０の取付孔４１Ａとが連通しており、図４に示すように、取付孔４１Ａに対してプリント基板５０の下面側からネジ部材６０をねじ込むことにより、ハウジング２０をプリント基板５０に固定する。続いて、プリント基板５０の端子挿通孔５０Ａから下向きに突出するリード端子３０の露出部３１の先端側を、プリント基板５０の下面側にて半田付けし、プリンタ基板５０の回路面に導通的に接続させる。以上の手順を踏むことにより、基板用コネクタ１０は、プリント基板５０の所定位置に位置決めされた状態で固定される。
【００１８】
本実施形態の基板用コネクタ１０によれば、ハウジング２０をプリント基板５０に固定する固定部４０が、リード端子３０の露出部３１の内側に配されているから、露出部３１の突出寸法内に収まるとともに、従来と違ってハウジング２０の幅寸法を狭くでき、その結果、基板用コネクタ１０が全体として大型化するのを回避できる。
【００１９】
また、ハウジング２０には、プリント基板５０の端縁部５０Ｃに引掛けられてハウジング２０における端子導出面２０Ａの反対側が持ち上がる方向の傾動動作を規制するようなフック部８０が設けられているため、図５に示すようにハウジング２０の端子導出面２０Ａの反対側を持ち上げようとする力が作用したときに、ハウジング２０の浮き上がりを阻止できる。即ち、ネジ部材６０による固定ポイントが端子導出面２０Ａ側にあっても、相手ハウジング９０を嵌合するときに嵌合面側が持ち上げられることなく、円滑な嵌合作業を行うことができる。
【００２０】
＜第２実施形態＞
図６及び図７は、本発明の第２実施形態を示す。第２実施形態では、プリント基板５０に端子挿通孔５０Ａを空けることなく、リード端子３０が、プリント基板５０に表面実装される点で第１実施形態と異なっている。
すなわち、第２実施形態におけるリード端子３０は、図７に示すように、露出部３１がプリント基板５０の上面に沿うよう屈曲形成され、プリント基板５０の上面と接触されるようになっている。リード端子３０の露出部３１の内側に固定部４０が配され、ハウジング２０の下面にフック部８０が設けられている点は、第１実施形態と同様である。
【００２１】
第２実施形態によれば、図６に示すように、ハウジング２０をプリント基板５０の端縁部５０Ｃに取付けるに際し、その端縁部５０Ｃとリード端子３０の露出部３１の先端側とを干渉させることなく、プリント基板５０の端縁部５０Ｃをフック部８０の保有する隙間Ｗに水平移動させつつ差し入れ可能なようになっているから作業性がよい。
【００２２】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００２３】
（１）フック部は、プリント基板を厚み方向に挟持可能なように、ばね性をもったクリップからなるものであっても構わない。
（２）固定部は、プリント基板にねじ止めされる態様に限らず、例えば、プリント基板との間の凹凸の嵌め合いによってプリント基板に固定される態様であっても構わない。
（３）プリント基板の端縁部に取付けない場合には、フック部は無くても構わない。
【図面の簡単な説明】
【図１】本発明の第１実施形態に係る基板用コネクタの正面図
【図２】底面図
【図３】プリント基板に取付ける前の状態を示す側面図
【図４】プリント基板に取付けた後の状態を示す側面図
【図５】相手ハウジングが嵌合された後の状態を示す側面図
【図６】本発明の第２実施形態に係る基板用コネクタのプリント基板に取付ける前の状態を示す側面図
【図７】プリント基板に取付けた後の状態を示す側面図
【図８】従来の基板用コネクタの正面図
【図９】底面図
【図１０】プリント基板に取付けた後の状態を示す側面図
【符号の説明】
１０…基板用コネクタ
２０…ハウジング
２０Ａ…端子導出面
３０…リード端子
３１…露出部
４０…固定部
５０…プリント基板
５０Ｃ…プリント基板の端縁部
８０…フック部
【図１】
2004214093.tif 000003
【図２】
2004214093.tif 000004
【図３】
2004214093.tif 000005
【図４】
2004214093.tif 000006
【図５】
2004214093.tif 000007
【図６】
2004214093.tif 000008
【図７】
2004214093.tif 000009
【図８】
2004214093.tif 000010
【図９】
2004214093.tif 000011
【図１０】
2004214093.tif 000012